(57)【要約】【課題】  外部機器との無線接続を簡単な操作で行うことが可能で、ユーザの使い勝手がよい画像処理装置及びその制御方法を提供すること。【解決手段】  無線接続指示ボタンが押されたときに、外部機器と未接続ならば無線接続を開始する。一方、すでに外部機器と接続中なら接続相手に応じた画像データ転送処理を行なう。同じボタンの操作により、無線通信の開始及び実行指示が可能であり、利便性が高い。【選択図】  図９
2007081741.tif 000002
【特許請求の範囲】
【請求項１】
画像データを無線通信により外部装置へ転送可能な撮像装置であって、
前記外部装置と無線通信を行う無線通信手段と、
ユーザが前記撮像装置に無線通信の開始指示を入力するための操作手段と、
前記操作手段により前記無線通信の開始指示の入力があった場合、前記無線通信手段が前記外部装置と接続中であるかどうかを検出し、未接続であれば前記無線通信手段を用いて前記外部装置との無線接続を開始し、接続中であれば、前記無線通信手段を用い、前記外部装置と、画像データの転送処理を含む所定の処理を行う制御手段とを有することを特徴とする撮像装置。
【請求項２】
さらに、表示手段を有し、
前記制御手段が、前記操作手段による前記無線通信の開始指示の入力が、第１の入力方法で入力され、かつ前記未接続の場合に、前記無線接続を開始し、前記操作手段による前記無線通信の開始指示の入力が、前記第１の入力方法と異なる第２の入力方法で入力され、かつ前記未接続の場合には、前記無線通信の開始は行わずに、無線通信に関する設定のためのユーザインタフェースを前記表示手段に表示することを特徴とする請求項１記載の撮像装置。
【請求項３】
前記制御手段が、前記無線通信の開始指示の入力が所定時間以上継続して行われた場合に、前記第１の入力方法での入力と判断し、前記無線通信の開始指示の入力が前記所定時間未満継続して行われた場合に、前記第２の入力方法での入力と判断することを特徴とする請求項２記載の撮像装置。
【請求項４】
前記無線通信装置が複数の外部装置の中から予め選択された外部装置と無線通信を行い、
前記無線通信に関する設定のためのユーザインタフェースが、前記複数の外部装置の中から前記無線通信装置が無線通信する外部装置をユーザに選択させるためのユーザインタフェースであることを特徴とする請求項２又は請求項３記載の撮像装置。
【請求項５】
前記外部装置が情報処理装置又は画像形成装置であり、前記所定の処理が、前記情報処理装置との画像データ転送処理又は前記画像形成装置とのダイレクトプリント処理であることを特徴とする請求項１乃至請求項４のいずれか１項に記載の撮像装置。
【請求項６】
前記外部装置と無線通信を行う無線通信手段と、ユーザが前記撮像装置に無線通信の開始指示を入力するための操作手段とを有し、記憶手段に記憶された画像データを無線通信により外部装置へ転送可能な撮像装置の制御方法であって、
前記操作手段により前記無線通信の開始指示の入力があったかどうかを検出する第１の検出ステップと、
前記開始指示の入力が検出された場合、前記無線通信手段が前記外部装置と接続中であるかどうかを検出する第２の検出ステップと、
前記第２の検出ステップで未接続であることが検出された場合、前記無線通信手段を用いて前記外部装置との無線接続を開始する接続開始ステップと、
前記第２の検出ステップで接続中であることが検出された場合、前記無線通信手段を用いて前記外部装置と、画像データの転送処理を含む所定の処理を行う制御ステップとを有することを特徴とする撮像装置の制御方法。
【発明の詳細な説明】
【技術分野】
【０００１】
本発明は、撮像装置及びその制御方法に関し、特にＰＣやプリンタ等の外部装置と無線通信を行うことが可能な撮像装置及びその制御方法に関する。
【背景技術】
【０００２】
従来、デジタルカメラ等の撮像装置は、ＰＣやプリンタといった外部装置をＵＳＢケーブル等で直接接続し、有線通信を行うことで画像の転送や印刷が可能である。また、無線通信機能を備えた撮像装置も開発されている。
【０００３】
撮像装置に外部装置と通信させたい場合、通信相手を指定する必要がある。ケーブル等で直接接続する場合には、ケーブルをそれぞれの機器の外部インタフェースコネクタに差し込めばよい。しかし、無線通信を利用する場合には、ケーブルを挿入する代わりに外部装置との接続を指示する必要がある。従って、簡単な操作で無線接続が可能である撮像装置は、ユーザの利便性が高いといえる。
【０００４】
撮影ボタンが半押しされると、画像データの転送先である画像サーバと無線接続を行うデジタルカメラが提案されている（特許文献１）。このデジタルカメラは、撮影ボタンが全押しされると撮影を行い、撮影された画像データを、画像サーバに転送する。
【０００５】
【特許文献１】特開２００２−９４８５８号公報
【発明の開示】
【発明が解決しようとする課題】
【０００６】
しかしながら、特許文献１のデジタルカメラでは、画像データの転送先はあくまで画像を蓄積する画像サーバであり、通信処理も画像サーバへの画像の転送だけが想定されている。デジタルカメラが画像データを転送しうる外部装置としては、特定のサーバだけでなく、一般的なパーソナルコンピュータやプリンタ等も考えられる。また、転送処理という観点からみても、撮影時に転送するだけでなく、メモリカード内の全画像を転送したりすることも考えられる。さらに、転送先の用途を指定して通信することも考えられる。例えば、転送先がＰＣであれば、その壁紙に使用することを指定して転送するといったことが考えられる。また、転送先がプリンタであれば、カメラ内にある画像データをプリンタで印刷するための通信を行うことが考えられる。
【０００７】
このように、様々な種類の転送先に対し、簡単な操作で接続が可能で、通信処理を行えることが望ましい。
【０００８】
従って、本発明は、外部装置との無線接続を簡単な操作で行うことが可能で、ユーザの使い勝手がよい撮像装置及びその制御方法を提供することを目的とする。
【課題を解決するための手段】
【０００９】
上述の目的は、画像データを無線通信により外部装置へ転送可能な撮像装置であって、外部装置と無線通信を行う無線通信手段と、ユーザが撮像装置に無線通信の開始指示を入力するための操作手段と、操作手段により無線通信の開始指示の入力があった場合、無線通信手段が外部装置と接続中であるかどうかを検出し、未接続であれば無線通信手段を用いて外部装置との無線接続を開始し、接続中であれば、無線通信手段を用い、外部装置と、画像データの転送処理を含む所定の処理を行う制御手段とを有することを特徴とする撮像装置によって達成される。
【００１０】
また、上述の目的は、外部装置と無線通信を行う無線通信手段と、ユーザが撮像装置に無線通信の開始指示を入力するための操作手段とを有し、記憶手段に記憶された画像データを無線通信により外部装置へ転送可能な撮像装置の制御方法であって、操作手段により無線通信の開始指示の入力があったかどうかを検出する第１の検出ステップと、開始指示の入力が検出された場合、無線通信手段が外部装置と接続中であるかどうかを検出する第２の検出ステップと、第２の検出ステップで未接続であることが検出された場合、無線通信手段を用いて外部装置との無線接続を開始する接続開始ステップと、第２の検出ステップで接続中であることが検出された場合、無線通信手段を用いて外部装置と、画像データの転送処理を含む所定の処理を行う制御ステップとを有することを特徴とする撮像装置の制御方法によっても達成される。
【発明の効果】
【００１１】
以上の構成により、本発明によれば、外部装置との無線接続を簡単な操作で行うことが可能で、ユーザの使い勝手がよい撮像装置及びその制御方法が実現できる。
【発明を実施するための最良の形態】
【００１２】
以下、本発明の実施形態を添付図面を参照しながら詳細に説明する。
（デジタルカメラ１００の構成）
図１は、本発明の一実施形態における撮像装置の一例としてのデジタルカメラ１００の構成例を示すブロック図である。本実施形態における撮像装置は、デジタルカメラに限るものではなく、デジタルカメラとして動作する装置であってもよい。デジタルカメラとして動作する装置には、デジタルビデオカメラ、デジタルカメラ付き携帯電話などがある。
【００１３】
１０はレンズ部、１２は絞り機能を備えるシャッター、１４は光学像を電気信号に変換する撮像素子、１６は撮像素子１４からのアナログ画像信号をデジタル化し、画像データに変換するＡ／Ｄ変換器である。なお、撮像素子１４には、ＣＣＤイメージセンサ、ＣＭＯＳイメージセンサ等を用いることができる。
タイミング発生部１８は撮像素子１４、Ａ／Ｄ変換器１６、Ｄ／Ａ変換器２６にクロック信号や制御信号を供給し、メモリ制御部２２及びシステム制御部５０により制御される。
【００１４】
画像処理部２０は、Ａ／Ｄ変換器１６からの画像データ或いはメモリ制御部２２からの画像データに対して所定の画素補間処理や色変換処理を行う。
また、画像処理部２０においては、撮像した画像データを用いて所定の演算処理を行う。そして、得られた演算結果に基づいてシステム制御部５０が露光制御部４０、測距制御部４２を制御し、ＴＴＬ（スルー・ザ・レンズ）方式のＡＦ（オートフォーカス）、ＡＥ（自動露出）、ＥＦ（フラッシュプリ発光）機能を実現している。
さらに、画像処理部２０においては、撮像した画像データを用いて所定の演算処理を行い、得られた演算結果に基づいてＴＴＬ方式のＡＷＢ（オートホワイトバランス）処理も行っている。
【００１５】
メモリ制御部２２は、Ａ／Ｄ変換器１６、タイミング発生部１８、画像処理部２０、画像表示メモリ２４、Ｄ／Ａ変換器２６、メモリ３０、圧縮伸長部３２を制御する。
Ａ／Ｄ変換器１６の出力データが画像処理部２０、メモリ制御部２２を介して、或いはＡ／Ｄ変換器１６の出力データが直接メモリ制御部２２を介して、画像表示メモリ２４或いはメモリ３０に書き込まれる。
【００１６】
画像表示メモリ２４に書き込まれた表示用の画像データは、Ｄ／Ａ変換器２６を介してＬＣＤや有機ＥＬディスプレイ等の画像表示部２８により表示される。撮像した画像データを画像表示部２８で逐次表示すれば、電子ビューファインダー（ＥＶＦ）機能を実現することが可能である。
【００１７】
また、画像表示部２８は、システム制御部５０の指示により任意に表示をＯＮ／ＯＦＦすることが可能であり、表示をＯＦＦにした場合にはデジタルカメラ１００の電力消費を大幅に低減することができる。
【００１８】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連続撮影やパノラマ撮影の場合にも、高速かつ大量の画像書き込みをメモリ３０に対して行うことが可能となる。
また、メモリ３０はシステム制御部５０の作業領域としても使用することが可能である。
【００１９】
圧縮伸長部３２は、メモリ３０に格納された画像データを読み込み、その画像データを所定の画像圧縮方法に従って圧縮し、圧縮された画像データをメモリ３０に書き込む。また、圧縮伸長部３２は、メモリ３０から圧縮された画像データを読み込み、その画像データを伸張し、伸張された画像データをメモリ３０に書き込むこともできる。なお、所定の画像圧縮方法には、JPEG、JPEG 2000等で規定された画像圧縮方法を使用することも、適応離散コサイン変換（ＡＤＣＴ）、ウェーブレット変換等を用いた画像圧縮方法を使用することもできる。
【００２０】
露光制御部４０は絞り機能を備えるシャッター１２を制御するとともに、フラッシュ４８と連携することによりフラッシュ調光機能も有する。
測距制御部４２はレンズ部１０のフォーカシングを制御し、ズーム制御部４４はレンズ部１０のズーミングを制御する。バリア制御部４６はレンズ部１０の保護を行うためのレンズバリアである保護部１０２の動作を制御する。
【００２１】
フラッシュ４８は撮影時の補助光源として機能し、調光機能も有する。また、ＡＦ補助光の投光機能も有する。
露光制御部４０、測距制御部４２はＴＴＬ方式を用いて制御されており、撮像した画像データを画像処理部２０によって演算した演算結果に基づき、システム制御部５０が露光制御部４０、測距制御部４２に対して制御を行う。
【００２２】
システム制御部５０は例えばＣＰＵであり、メモリ５２に記憶されたプログラムを実行することによりデジタルカメラ１００全体を制御する。メモリ５２はシステム制御部５０の動作用の定数、変数、プログラム等を記憶する。
【００２３】
表示部５４は例えばＬＣＤやＬＥＤ、スピーカ等の出力装置の組み合わせにより構成され、システム制御部５０でのプログラムの実行に応じて、文字、画像、音声等を用いて動作状態やメッセージ等を出力する。表示部５４はデジタルカメラ１００の操作部７０近辺の視認し易い位置に、単数或いは複数設置される。また、表示部５４の一部は光学ファインダー１０４内に設置されている。
【００２４】
表示部５４の表示内容としては、例えば、メモリカード２００及び２１０の取り外し状態、通信Ｉ／Ｆの動作状態、外部コンピュータとの接続状態等がある。この一部は光学ファインダー１０４内に表示される。
【００２５】
そして、表示部５４の表示内容のうち、ランプ等により表示するものとしては、例えば、セルフタイマー通知ランプ、等がある。このセルフタイマー通知ランプは、ＡＦ補助光と共用して用いても良い。
不揮発性メモリ５６は電気的に消去・記録可能なメモリであり、例えばＥＥＰＲＯＭ等が用いられる。
【００２６】
モードダイヤル６０、第１シャッタースイッチ（ＳＷ１）６２、第２シャッタースイッチ（ＳＷ２）６４、電源スイッチ６６、無線接続ボタン６８及び操作部７０は、システム制御部５０に所定の動作の開始、停止等を指示するための操作部材である。これらの操作部材は、ボタン、スイッチ、ダイアル、タッチパネル、視線検知装置、音声認識装置或いはこれらの組み合わせで構成される。
【００２７】
ここで、これらの操作部材の具体的な説明を行う。
モードダイアルスイッチ６０は、例えば自動撮影モード、プログラム撮影モード、パノラマ撮影モード、再生モード、マルチ画面再生・消去モード、ＰＣ接続モード等の各機能モードを切り替え設定するためのスイッチである。
【００２８】
第１シャッタースイッチ（ＳＷ１）６２は、デジタルカメラ１００に設けられたシャッターボタン（図示せず）の第１ストローク（例えば半押し）でＯＮとなる。第１シャッタースイッチ（ＳＷ１）６２がＯＮにされた場合、ＡＦ（オートフォーカス）処理、ＡＥ（自動露出）処理、ＡＷＢ（オートホワイトバランス）処理、ＥＦ処理等が開始される。
【００２９】
第２シャッタースイッチ（ＳＷ２）６４は、デジタルカメラ１００に設けられたシャッターボタンの第２ストローク（例えば全押し）でＯＮとなり、露光処理、現像処理及び記録処理からなる一連の処理の開始を指示する。まず、露光処理では、撮像素子１４から読み出した信号をＡ／Ｄ変換器１６、メモリ制御部２２を介して画像データをメモリ３０に書き込み、更に、画像処理部２０やメモリ制御部２２での演算を用いた現像処理が行われる。更に、メモリ３０から画像データを読み出し、圧縮伸張部３２で圧縮を行い、メモリカード９２に画像データを書き込む記録処理が行われる。
【００３０】
電源スイッチ６６は、デジタルカメラ１００の電源オン及び電源オフを行うためのスイッチである。
無線接続ボタン６８は、無線通信部１１４によってデジタルカメラ１００と外部装置（不図示）との間で無線通信を行うための無線接続開始をユーザが指示するためのボタンである。無線接続が確立していない状態において、無線接続ボタン６８が押下されると、無線接続開始指示がシステム制御部５０へ入力される。なお、デジタルカメラ１００と無線通信を行う外部装置には、パーソナルコンピュータ、プリンタ、ストレージサーバなどを用いることができる。
【００３１】
なお、本実施形態のデジタルカメラ１００は、無線接続中の無線接続ボタン６８に別の指示入力を割り当てる。例えば、接続相手がプリンタであればプリント指示入力、接続相手がＰＣ（パーソナルコンピュータ）であれば転送指示入力を割り当てる。このように、無線接続していない状態と、無線接続中とでは、無線接続ボタンの押下に異なる機能を割り当てることで、無線接続の開始及び、無線接続中の通信処理開始を無線接続ボタン６８ひとつで行うことができ、操作を簡単にすることが可能である。
【００３２】
操作部７０は、スイッチ、ボタン、回転ダイアルスイッチ、タッチパネル等の操作部材を有するユーザインターフェースである。撮影画像の画像記録モード、圧縮率、画質等は、操作部７０で選択できる。画像記録モードには、ＪＰＥＧモードとＲＡＷモードがある。ＪＰＥＧモードは、撮影画像をＪＰＥＧ圧縮方式で圧縮してメモリカード２００等に記録する画像記録モードである。ＲＡＷモードは、撮像素子１４からの信号をデジタル化して得たデジタルデータを圧縮せずに又はロスレス圧縮方式で圧縮してメモリカード２００等に記録する画像記録モードである。なお、ＪＰＥＧモードにおける圧縮率及び画質は、操作部７０で選択可能である。
【００３３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、これらの検出の結果及びシステム制御部５０の指示に基づいてＤＣ−ＤＣコンバータを制御し、必要な電圧を必要な期間、メモリカード２００及び２１０を含む各部へ供給する。
【００３４】
電源８６はアルカリ電池やリチウム電池等の一次電池やＮｉＣｄ電池やＮｉＭＨ電池、Ｌｉ電池等の二次電池、或いはＡＣアダプター等からなり、コネクタ８２及び８４によってデジタルカメラ１００に取り付けられる。
【００３５】
メモリカード２００及び２１０は、取り外し可能な記憶媒体である。メモリカード２００及び２１０には、ＳＤメモリカード、コンパクトフラッシュ（登録商標）、リムーバブルＨＤＤなどを用いることができる。メモリカード２００は、メモリ２０２と、カメラインターフェース２０４と、コネクタ２０６とを有する。メモリカード２１０は、メモリ２１２と、カメラインターフェース２１４と、コネクタ２１６とを有する。メモリ２０２及び２１２は、ランダムアクセス可能な不揮発性メモリである。カメラインターフェース２０４はデジタルカメラ１００側のカードインターフェース９０と通信可能であり、カメラインターフェース２１４はデジタルカメラ１００側のカードインターフェース９４と通信可能である。コネクタ２０６はカメラ側のコネクタ９２と接続可能であり、コネクタ２１６はカメラ側のコネクタ９８と接続可能である。なお、メモリカード２００及び２１０の装着及び取り外しは、デジタルカメラ１００に内蔵されたカード検知部（不図示）によって検知される。
【００３６】
バリア１０２は、デジタルカメラ１００の、レンズ１０を含む撮像部を覆う事により、撮像部の汚れや破損を防止する。
光学ファインダー１０４は例えばＴＴＬファインダーであり、プリズムやミラーを用いてレンズ１０を通じた光束を結像する。光学ファインダー１０４を用いることで、画像表示部２８による電子ファインダー機能を使用すること無しに撮影を行うことが可能である。また、上述したように、光学ファインダー１０４内には、表示部５４の一部の機能、例えば、合焦表示、手振れ警告表示、フラッシュ充電表示、シャッタースピード表示、絞り値表示、露出補正表示などの情報表示がなされる。
【００３７】
有線通信部１１０は、ＲＳ２３２Ｃ、ＵＳＢ、ＩＥＥＥ１３９４、Ｐ１２８４、ＳＣＳＩ、モデム、ＬＡＮ等による通信を行う。コネクタ１１２は、有線通信部１１０によりデジタルカメラ１００と外部装置との通信を行う際に、ケーブルを接続するためのコネクタである。
【００３８】
無線通信部１１４は、ＩＥＥＥ８０２．１１ａ／ｂ／ｇ等の無線ＬＡＮ通信、Ｂｌｕｅｔｏｏｔｈ、ＩｒＤＡ等による通信を行う。アンテナ１１６は、無線通信部１１４によりデジタルカメラ１００と外部装置との通信を行う際に用いる。
【００３９】
識別情報記憶部１１８は、無線通信部１１４、アンテナ１１６を介して外部装置（不図示）と無線通信を行う際に、通信に先立って認証を行うための各種識別情報を格納する。識別情報記憶部１１８は、例えば書き換え可能な不揮発性メモリから構成される。
【００４０】
（デジタルカメラ１００の動作）
次に、図２乃至図９に示すフローチャートを参照して、本実施形態のデジタルカメラ１００の動作を説明する。
図２、図３および図４は本実施形態におけるデジタルカメラ１００のメインルーチンのフローチャートを示す。そのうち、図２が撮影及び再生モードにおいて共通のフローチャート、図３が撮影モードにおけるフローチャート、図４が再生モードにおけるフローチャートである。
【００４１】
（撮影及び再生モード共通動作）
まず、図２を用いて、デジタルカメラ１００の撮影及び再生モードに共通した動作を説明する。
電池交換等の電源投入により、システム制御部５０はフラグや制御変数等を初期化すると共に、デジタルカメラ１００の各構成要素の初期化処理を行う（Ｓ１０１）。
【００４２】
システム制御部５０は、電源スイッチ６６が電源ＯＦＦに設定されていたならば（Ｓ１０２）、各表示手段の表示を終了状態に変更し、バリア１０２を閉じる等して撮像部を保護する。そして、フラグや制御変数等を含む必要なパラメータや設定値、設定モードを不揮発性メモリ５６に記録する。その後、電源制御部８０により、画像表示部２８を含むデジタルカメラ１００各部の不要な電源を遮断する等の所定の終了処理を行った後（Ｓ１０３）、Ｓ１０２に戻る。
【００４３】
電源スイッチ６６が電源ＯＮに設定されていたならば（Ｓ１０２）、システム制御部５０は、電池等により構成される電源８６の残容量や動作状況が、デジタルカメラ１００の動作上に問題があるか否かを、電源制御部８０を用いて判断する（Ｓ１０４）。
【００４４】
例えば電源８６の残容量がデジタルカメラ１００の動作を継続する上で問題があると判断される場合（Ｓ１０４，ＮＯ）、システム制御部５０は、表示部５４や画像表示部２８を用いて画像や音声により所定の警告を行う（Ｓ１０６）。そして、各表示部５４、２８の表示を終了状態に変更し、上述した終了処理を行い（Ｓ１０３）、Ｓ１０２に戻る。
【００４５】
電源８６がデジタルカメラ１００の動作上問題無いと判断される場合（Ｓ１０４、ＹＥＳ）、システム制御部５０はメモリカード２００或いは２１０の状態を調べる。具体的には、デジタルカメラ１００の動作、特にメモリカード２００或いは２１０の記録再生動作上に問題があるか否かを判断する（Ｓ１０５）。
【００４６】
問題ありと判断された場合（Ｓ１０５，ＮＯ）には、表示部５４や画像表示部２８を用いて画像や音声により問題に応じた所定の警告表示を行い（Ｓ１０６）、終了処理を行って（Ｓ１０３）、Ｓ１０２へ戻る。
【００４７】
メモリカード２００或いは２１０の動作状態に問題が無いならば（Ｓ１０５，ＹＥＳ）、Ｓ１０７に進む。Ｓ１０７では、モードダイヤル６０の状態を調べる。
モードダイヤル６０が撮影モードに設定されていたならば、Ｓ１０８（図３）へ、再生モードに設定されていたならば、Ｓ１３０（図４）に進む。
【００４８】
（撮影モードでの動作）
次に、図３および図５乃至図７に示すフローチャートを用いて、デジタルカメラ１００の撮影モードにおける動作を説明する。
なお、第１の実施形態では、撮影モード時はＰＣとのみ無線接続可能とし、無線接続中はシャッターボタンを押下して撮影するだけで、別途無線接続ボタン６８を押下しなくても自動で図示しないＰＣへの画像転送を行う構成（撮影同時転送）について説明する。別の構成については、第２の実施形態で説明する。
【００４９】
撮影モードで、システム制御部５０は、撮像した画像データを画像表示部２８に逐次表示し、画像表示部２８が電子ビューファインダーとして機能する状態にし（Ｓ１０８）、Ｓ１０９へ進む。なお、逐次表示状態をスルー表示状態と呼ぶ。
【００５０】
上述の通り、スルー表示状態では、撮像素子１２、Ａ／Ｄ変換器１６、画像処理部２０、メモリ制御部２２を介して、画像表示メモリ２４に逐次書き込まれたデータを、メモリ制御部２２、Ｄ／Ａ変換器２６を介して画像表示部２８で逐次表示する。
【００５１】
Ｓ１０９ではモードダイヤル６０が操作されたかどうか（別の動作モードに切り替えられたか）を調べる。モードダイヤル６０の操作が検出されたならば（Ｓ１０９，ＹＥＳ）、Ｓ１０７（図２）に戻る。また、モードダイヤル６０の操作が検出されなければ（Ｓ１０９，ＮＯ）、Ｓ１１０に進み、無線接続ボタン６８の押下有無を調べる。
【００５２】
無線接続ボタン６８の押下が検出されなければ（Ｓ１１０，ＮＯ）、Ｓ１１３に進み、押下が検出されれば（Ｓ１１０，ＹＥＳ）、Ｓ１１１で、無線接続中であるかどうかを調べる。
ここで、すでに無線接続中であれば（Ｓ１１１，ＮＯ）、Ｓ１１３へ進む。一方、無線接続されていなければ（Ｓ１１１，ＹＥＳ）、無線接続処理を実行する（Ｓ１１２）。このように、無線接続されていない状態での無線接続ボタン６８の押下により、ＰＣへの無線接続の開始が指示される。この無線接続処理Ｓ１１２の詳細は図８を用いて後述する。
【００５３】
Ｓ１１３では、第１シャッタースイッチ（ＳＷ１）６２の状態を調べる。半押しでＯＮするＳＷ１がＯＦＦなら、Ｓ１０９に戻る。第１シャッタースイッチ（ＳＷ１）６２がＯＮならば、システム制御部５０は画像表示部２８の表示状態をフリーズ表示状態にして（更新を中止して）（Ｓ１１４）、Ｓ１１５に進む。
【００５４】
フリーズ表示状態に於いては、撮像素子１２、Ａ／Ｄ変換器１６、画像処理部２０、メモリ制御部２２を介した画像表示メモリ２４の画像データ書き換えを禁止する。そして、最後に書き込まれた画像データを、メモリ制御部２２、Ｄ／Ａ変換器２６を介して画像表示部２８で表示することにより、フリーズした映像を表示する。
【００５５】
Ｓ１１５で、システム制御部５０は、測距処理を行ってレンズ部１０の焦点を被写体に合わせ、測光処理を行って絞り値及びシャッター時間を決定する。測光処理に於いて、必要であればフラッシュの設定も行う。この測距・測光処理Ｓ１１５の詳細は図５を用いて後述する。
【００５６】
測距・測光処理Ｓ１１５を終えたならば、システム制御部５０は画像表示部２８の表示状態を再度スルー表示状態にして（Ｓ１１６）、Ｓ１１７に進む。なお、Ｓ１１６でのスルー表示状態は、Ｓ１０８でのスルー状態と同じ状態である。
【００５７】
Ｓ１１７では、全押しでＯＮする第２シャッタースイッチ（ＳＷ２）６４の状態を調べる。ＳＷ２がＯＦＦの場合はさらに、第１シャッタースイッチ（ＳＷ１）６２の状態を調べ（Ｓ１１８）、ＳＷ１がＯＮを維持していればＳ１１７へ戻り、ＯＦＦになっていればＳ１０９へ戻る。
一方、第２シャッタースイッチ（ＳＷ２）６４がＯＮであれば、システム制御部５０は画像表示部２８の表示状態を固定色表示状態に設定して（Ｓ１１９）、Ｓ１２０に進む。
【００５８】
固定色表示状態に於いては、撮像素子１２、Ａ／Ｄ変換器１６、画像処理部２０、メモリ制御部２２を介して画像表示メモリ２４に書き込まれた撮影画像データは表示しない。その代わりに、差し替えた固定色の画像データを、メモリ制御部２２、Ｄ／Ａ変換器２６を介して画像表示部２８に表示することにより、固定色の映像を電子ファインダーに表示している。
【００５９】
Ｓ１２０では、撮影処理を行う。システム制御部５０は、撮像素子１２、Ａ／Ｄ変換器１６、画像処理部２０、メモリ制御部２２を介して、或いはＡ／Ｄ変換器から直接メモリ制御部２２を介して、メモリ３０に撮影した画像データを書き込む。この一連の処理を露光処理という。さらに、メモリ制御部２２（必要に応じて画像処理部２０も）を用いて、メモリ３０に書き込まれた画像データを読み出し、各種画像処理（現像処理）を行う。Ｓ１２０で行う撮影処理の詳細は図６を用いて後述する。
【００６０】
撮影処理が終わると、システム制御部５０は撮影した画像データを画像表示部２８に短時間表示するクイックレビュー表示を開始する（Ｓ１２１）。続いて、メモリ３０に書き込まれた撮影画像データを読み出して、メモリ制御部２２そして必要に応じて画像処理部２０を用いて各種画像処理を、また、圧縮伸長部３２を用いて設定したモードに応じた画像圧縮処理を行う。画像圧縮処理後の画像データは、再度メモリ３０に書き込む。その後、メモリ３０から圧縮後の撮影画像データを読み出し、メモリカード２００或いは２１０へ画像データの書き込みを行う記録処理を実行する（Ｓ１２２）。この記録処理Ｓ１２２の詳細は図７を用いて後述する。
【００６１】
記録処理が終了すると、システム制御部５０は、無線接続中であるかどうかの判定を行い（Ｓ１２３）、無線未接続であったならば、Ｓ１２５に進む。一方、無線接続中であったならば、メモリ３０から圧縮後の撮影画像データを読み出し、無線通信部１１４及びアンテナ１１６を用いて外部装置の一例であるＰＣへ無線通信により転送し（Ｓ１２４）、Ｓ１２５に進む。
【００６２】
Ｓ１２５では、第２シャッタースイッチ（ＳＷ２）６４の状態を調べる。依然としてＯＮの状態であった場合、システム制御部５０は自らの内部メモリ或いはメモリ５２に記憶される連写フラグの状態を判断する（Ｓ１２７）。そして、連写フラグが設定されていたならば（Ｓ１２７，ＹＥＳ）、連続して撮影を行うためにＳ１２０に戻り、次の撮影を行う。
【００６３】
一方、連写フラグが設定されていないならば（Ｓ１２７，ＮＯ）、第２シャッタースイッチ（ＳＷ２）６４が放され、ＯＦＦとなるまで（Ｓ１２５）、ＳＷ２の状態検出を繰り返す。なお、本実施形態のデジタルカメラ１００は、第２シャッタースイッチ（ＳＷ２）６４がＯＮして本撮影動作を行った後、ＳＷ２がＯＮを維持している間、クイックレビュー表示を継続して行うものとする。
【００６４】
Ｓ１２５で第２シャッタースイッチ（ＳＷ２）６４がＯＦＦであれば、Ｓ１２６へ進み、予め設定された、クイックレビュー表示を行う最低時間（ミニマムレビュー時間）が経過したかどうか調べる。ミニマムレビュー時間が経過していなければ、ＳＷ２がＯＦＦとなってもクイックレビュー表示を継続する。
【００６５】
所定のミニマムレビュー時間が経過したら、システム制御部５０は、画像表示部２８の表示状態を再度スルー表示状態にして（Ｓ１２８）、Ｓ１２９に進む。
Ｓ１２９で第１シャッタースイッチ（ＳＷ１）６２がＯＮであれば、システム制御部５０は、Ｓ１１７に戻って次の撮影に備える。一方、第１シャッタースイッチ（ＳＷ１）６２がＯＦＦであれば、一連の撮影動作を終えてＳ１０９に戻る。
【００６６】
（測距・測光処理）
図５は、図３のＳ１１５で実行する測距・測光処理の詳細を示すフローチャートである。
システム制御部５０は、撮像素子１４から電荷信号を読み出し、Ａ／Ｄ変換器１６を介して画像処理部２０に撮影画像データを逐次読み込む（Ｓ２０１）。この逐次読み込まれた画像データを用いて、画像処理部２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００６７】
なお、これら各処理における演算には、撮影した全画素のうち、単数又は複数の特定領域の画素を抽出して用いている。これにより、ＴＴＬ方式のＡＥ、ＥＦ、ＡＷＢ、ＡＦの各処理において、中央重点モード、平均モード、評価モード等の異なるモード毎に最適な演算を行うことが可能となる。
【００６８】
画像処理部２０での演算結果を用い、システム制御部５０は、自動露出値が適正と判断されるまで（Ｓ２０２）、露光制御部４０を用いてＡＥ制御を行う（Ｓ２０３）。ＡＥ制御で得られた測定データを用いて、システム制御部５０はフラッシュの発光が必要か否かを判断し（Ｓ２０４）、必要ならばフラッシュフラグをセットし、フラッシュ４８を充電する（Ｓ２０５）。
【００６９】
Ｓ２０２で自動露出値が適正と判断されたならば、自動露出制御における測定データ及び或いは設定パラメータ（測光データ）を、システム制御部５０の内部メモリ或いはメモリ５２に記憶する。
【００７０】
ＡＥ制御処理が終了すると、システム制御部５０は、Ｓ２０６及びＳ２０７において、画像処理部２０での演算結果及びＡＥ制御で得られた測定データを用いて、オートホワイトバランス処理を行う。すなわち、Ｓ２０６でオートホワイトバランス値が適正と判断されるまで、Ｓ２０７において画像処理部２０を用いて色処理のパラメータを調節する。
【００７１】
オートホワイトバランス値が適正と判断されたならば（Ｓ２０６）、ＡＷＢ制御における測定データ及び或いは設定パラメータを、システム制御部５０の内部メモリ或いはメモリ５２に記憶する。
【００７２】
次に、システム制御部５０は、Ｓ２０８及びＳ２０９において、ＡＥ制御及びＡＷＢ制御で得られた測定データを用いて、ＡＦ制御を行う。すなわち、Ｓ２０８で合焦と判断されるまで、測距制御部４２を用いてＡＦレンズ駆動や合焦度の算出を行う。
【００７３】
合焦したと判断されたならば（Ｓ２０８）、ＡＦ制御における測定データ及び或いは設定パラメータを、システム制御部５０の内部メモリ或いはメモリ５２に記憶し、測距・測光処理を終了する。
【００７４】
（撮影処理）
図６は、図３のＳ１２０における撮影処理の詳細を示すフローチャートである。
システム制御部５０は、その内部メモリ或いはメモリ５２に記憶される測光データに従い、露光制御部４０によって、絞り機能を有するシャッター１２を絞り値に応じて開放して撮像素子１０を露光する（Ｓ３０１、Ｓ３０２）。
【００７５】
フラッシュフラグによりフラッシュ４８が必要か否かを判断し（Ｓ３０３）、必要な場合はフラッシュを発光させる（Ｓ３０４）。
システム制御部５０は、測光データに従って撮像素子１２の露光時間経過を待ち（Ｓ３０５）、その後、シャッター１２を閉じ（Ｓ３０６）、露光を終了させる。
【００７６】
そして、システム制御部５０は、撮像素子１４から電荷信号を読み出し、Ａ／Ｄ変換器１６、画像処理部２０、メモリ制御部２２を介して、或いはＡ／Ｄ変換器１６から直接メモリ制御部２２を介して、メモリ３０に撮影画像のデータを書き込む（Ｓ３０７）。
【００７７】
設定された撮影モードに応じて、フレーム処理を行う必要があるかどうか判定する（Ｓ３０８）。必要であれば、システム制御部５０は、メモリ制御部２２そして必要に応じて画像処理部２０を用いて、メモリ３０に書き込まれた画像データを読み出して垂直加算処理や（Ｓ３０９）、色処理（Ｓ３１０）を順次行う。そして、メモリ３０に処理を終えた画像データを書き込む。
【００７８】
Ｓ３１１において、システム制御部５０は、メモリ３０から画像データを読み出し、メモリ制御部２２を介して画像表示メモリ２４に表示画像データの転送を行い、撮影処理を終了する。
【００７９】
（記録処理）
図７は、図３のＳ１２２における記録処理の詳細を示すフローチャートである。
システム制御部５０は、メモリ制御部２２そして必要に応じて画像処理部２０を用いて、メモリ３０に書き込まれた撮影画像データを読み出して撮像素子の縦横画素比率を１：１に補間する画素正方化処理を行う（Ｓ４０１）。そして、メモリ３０に処理を終えた画像データを書き込む。
【００８０】
次に、メモリ３０に書き込まれた画像データを読み出して、設定された圧縮符号化モードに応じた画像圧縮処理を圧縮伸長部３２により行う（Ｓ４０２）。そして、カードインターフェース９０或いは９４、コネクタ９２或いは９６を介して、メモリカード２００或いは２１０へ圧縮した画像データの書き込みを行う（Ｓ４０３）。
メモリカード２００或いは２１０への書き込みが終わったならば、記録処理を終了する。
【００８１】
（再生モードの動作）
次に、図４に示すフローチャートを用いて、デジタルカメラ１００の再生モードにおける動作を説明する。
図２のＳ１０７において、モードダイヤル６０が再生モードになっていることが検出されると、まず、システム制御部５０はメモリカード２００或いは２１０に画像ファイルが記録されているかどうかのチェックを行う（Ｓ１３０）。そして、画像ファイルが記録されているならば、最新の画像を画像表示部２８に再生表示して（Ｓ１３１）、Ｓ１３３に進む。
【００８２】
画像ファイルが記録されていないならば、画像表示部２８や表示部５４に『画像がありません』等のメモリカード２００或いは２１０内に画像が記録されてない旨を伝えるメッセージを表示して（Ｓ１３２）、Ｓ１３３に進む。
【００８３】
Ｓ１３３では、モードダイヤル６０の操作有無を検出する。操作が検出されたならば（Ｓ１３３，ＹＥＳ）、Ｓ１０７（図２）に戻る。操作されていないならば（Ｓ１３３，ＮＯ）、Ｓ１３４に進む。
【００８４】
Ｓ１３４では、操作部７０において、予め再生操作に割り当てられているボタンやスイッチの操作がなされたかどうかを検出する。例えば、再生画像移動＋（プラス）ボタン、再生画像移動−（マイナス）ボタン（画像の１枚送り指示）やズームレバー（画像の拡大再生、マルチ画面再生の切り替え指示）等の操作入力有無を検出する。何らかの操作があったならば（Ｓ１３４，ＹＥＳ）、操作入力に応じて画像の１枚送りや画像の拡大再生、マルチ画面再生の切り替え等の再生動作を実行し（Ｓ１３５）、Ｓ１３６に進む。一方、操作入力がなかったならば（Ｓ１３４，ＮＯ）、そのままＳ１３６に進む。
【００８５】
Ｓ１３６では、無線接続ボタン６８の押下有無を検出する。押下が検出されなければ（Ｓ１３６，ＮＯ）、Ｓ１３３に戻る。無線接続ボタン６８の押下が検出されれば（Ｓ１３６，ＹＥＳ）、Ｓ１３７へ進み、すでに無線接続中であるかどうかの判定を行う。
【００８６】
そして、無線未接続であったならば（Ｓ１３７，ＮＯ）、所定の外部装置（ＰＣやプリンタ）への無線接続を開始する（Ｓ１３８）。この無線接続処理Ｓ１３８はＳ１１２（図２）と同様であり、詳細は図８を用いて後述する。一方、無線接続中であったならば（Ｓ１３７，ＹＥＳ）、Ｓ１３９に進む。
【００８７】
Ｓ１３９では、無線接続先を判別する。プリンタであれば、画像表示部２８に再生表示中の画像をプリンタでダイレクトプリントするための処理を行い（Ｓ１４０）、Ｓ１３３に戻る。Ｓ１４０におけるプリント処理は、例えばピクトブリッジ等のダイレクトプリント規格に準拠した方法で実行される。一連のダイレクトプリント処理の過程で、画像データの転送処理が行われる。
【００８８】
また、無線接続先がＰＣならば、全画像転送、未転送画像転送、再生表示中画像転送、ＰＣの壁紙転送といった転送処理のうち、ユーザの指定に応じた転送処理を行い（Ｓ１４１）、Ｓ１３３に戻る。なお、ここで実行する所定の転送処理は、前回実行した転送処理を記憶しておきそれを実行するようにしてもよいし、デフォルトの転送処理をあらかじめ設定しておいてもよい。
【００８９】
システム制御部５０は、転送処理に応じ、転送対象となる画像データファイルを特定し、記憶媒体からメモリ３０へ読み出す。そして、必要に応じ、外部装置とのプロトコルに合わせたデータ形式に変換し、無線通信部１１４へ供給する。無線通信部１１４は、アンテナ１１６を介し、外部装置と所定のプロトコルに従って無線通信を行い、画像データを転送する。なお、外部装置に対し、どのような転送処理を行うのかを例えば実際の転送処理が開始する前の準備段階でのやりとりを通じて通知しておくことで、外部装置では適切な処理（例えば受信した画像データを壁紙に設定する等）を行うことができる。
【００９０】
本実施形態によれば、無線接続ボタン６８を無線未接続時は無線接続開始指示入力手段として、また、無線接続中は接続先に応じた処理開始指示入力手段として機能させることができる。そのため、ユーザは、無線接続と接続後のプリントや転送処理をひとつのボタンで簡単に行うことができる。
【００９１】
（無線接続処理）
図８は、図３のＳ１１２および図４のＳ１３８における無線接続処理の詳細を示すフローチャートである。
無線接続先を指定するメニュー画面は、操作部７０の方向キーや実行キー等の操作により、階層的に構成されたメニュー体系を辿ることにより表示させることができる。しかし、本実施形態では、無線接続ボタン６８を無線接続先設定メニューのショートカットボタン（特定のメニュー画面を１操作で読み出すためのボタン）として用い、ユーザの利便性を向上させている。
【００９２】
さらに、無線接続ボタン６８の押下継続時間の長さに応じて、実行する処理を切り替える。具体的には、通常の無線接続ボタン押し（短押し）の範囲では、無線接続先設定メニューのショートカットボタンの入力として処理し、そのまま所定時間以上押され続けた場合には、その時点で設定されている接続相手との無線接続開始指示として処理する。
【００９３】
つまり、ユーザからすると、無線接続ボタン６８を押すことで、まず、メニューボタン押下により表示される各種設定メニューの中から無線接続先設定メニューを辿るという操作をすることなくワンアクションで無線接続先設定メニューを表示することができる。そして、そのまま無線接続ボタン６８を押し続ける（長押し）ことで、無線接続の開始を指示できるので、非常に使い勝手がよい。
【００９４】
なお、ここでは、異なる指示を無線接続ボタン６８から入力するための操作方法（あるいは、指示の入力方法）の一例として、押下時間の長さを変えることを説明した。しかし、ボタンを繰り返し押下する回数を変える（１回でメニュー表示、短時間内に再度押下されれば接続開始等）など、他の任意の操作方法用いることができる。
【００９５】
また、操作とそれに対応する処理との対応づけについても特に限定されない。例えば、上述の例であれば、短押しで無線接続を開始、長押しで無線接続先設定メニュー表示とすることもできる。
【００９６】
以下、具体的な動作を説明する。
図３のＳ１１２および図４のＳ１３８で無線接続ボタン６８押下が検出されると、システム制御部５０は、無線接続先設定メニューを画像表示部２８に表示させる（Ｓ５０１）。図９に、無線接続先設定メニュー画面の例（６０３、６０４）を示す。
【００９７】
そして、モードダイヤル６０の状態を調べる（Ｓ５０２）。撮影モードに設定されていたならば、現在の無線接続先設定を調べ（Ｓ５０３）、ＰＣならＳ５０４進む。一方、プリンタへの接続が設定されていた場合には、撮影モードでの無線接続はできないため、通常のボタン押し（短押し）とみなし、無線接続先設定変更（Ｓ５０６）に進む。
一方、Ｓ５０２でモードダイヤル６０が再生モードに設定されていたならば、Ｓ５０４に進む。
【００９８】
Ｓ５０４では、無線接続ボタン６８の押下状態が継続（入力が継続）しているかどうかを調べる。引き続いて押下されていれば、Ｓ５０５に進み、押下状態が予め定めた一定時間維持されたかどうかを調べる。Ｓ５０５で、一定時間押下状態の継続が検出されたら、無線接続ボタン６８の長押しとみなし、現在の無線接続先設定に応じた接続先への無線接続を開始する（Ｓ５０８）。図９に、接続開始時の表示状態の例を示す（６０５）。Ｓ５０５で、押下状態の継続がまだ一定時間に達していなければ、Ｓ５０４へ戻る。
また、ここでは無線接続ボタンを長押しした際に現在の無線接続先設定に応じた接続先に無線接続を開始するようにしたが、前回接続した接続先に無線接続を開始するようにしてもよい。
【００９９】
Ｓ５０４で無線接続ボタン６８の押下状態が解除されていたら（入力が無くなったら）、通常のボタン押し（短押し）とみなし、無線接続先設定変更（Ｓ５０６）に進む。
Ｓ５０６では、表示中の無線接続先設定メニューを介した、ユーザからの無線接続先設定指示を待つ。ユーザが操作部７０を操作し、メニュー画面に含まれる接続先を選択、設定すると、Ｓ５０７へ進む。なお、Ｓ５０６において、キャンセル指示があれば、無線接続がキャンセルされた旨を通知し、無線接続動作を終了する。
【０１００】
Ｓ５０７では、ユーザからの接続開始指示を待つ。ここで、接続開始が指示されれば（Ｓ５０７，ＹＥＳ）、無線接続ボタン６８の長押しがなされた場合と同様、現在の無線接続先設定に応じた接続先に無線接続を開始する（Ｓ５０８）。
一方、接続のキャンセルが指示された場合（Ｓ５０７，ＮＯ）、図３のＳ１１２および図４のＳ１３８における無線接続処理を無線未接続で終了する。
【０１０１】
Ｓ５０８で、システム制御部５０は、無線通信部１１４を用いて、接続先として指示された外部装置との無線接続を開始する。無線接続が成功したならば（Ｓ５０９，ＹＥＳ）、無線接続を確立して処理を終了する。
【０１０２】
無線接続失敗ならば（Ｓ５０９，ＮＯ）、画像表示部２８や表示部５４に無線接続エラーを伝えるメッセージを表示して（Ｓ５１０）、無線未接続で処理を終了する。エラー画面の例を図９、６０６に示す。
【０１０３】
図９は、第１の実施形態のデジタルカメラ１００の、再生モードでの無線接続処理における画面表示遷移の例を示す図である。
再生モードで起動するか再生モードにモード変更すると、メモリカード２００或いは２１０に記録されている画像を画像表示部２８に再生表示する（図４、Ｓ１３１）。６０１はそのときの表示画面例であり、再生中の画像のサイズや撮影された日時といった情報を一緒に表示する。
【０１０４】
その状態で、無線接続ボタン６８が押されると（図４、Ｓ１３６，ＹＥＳ）、無線接続先設定メニューを表示する（図８、Ｓ５０１）。接続先設定がプリンタの場合は６０３、ＰＣなら６０４に示すように、接続先としてプリンタおよびＰＣが設定された状態で無線接続設定メニューを表示する。
【０１０５】
なお、ユーザは、無線接続先設定メニュー画面６０３，６０４を、再生画面６０１からメニューボタンを押下することにより表示される各種設定メニューの中から辿って表示させることも可能である。メニューボタン押下により表示される各種設定メニューの一部を６０２で示す。図ではメニュー画面の押下で直ちに６０２のメニュー画面が表示されるように記載しているが、実際には階層的なメニュー体系を何階層か辿る必要がある。
【０１０６】
無線接続ボタン６８の押下（図４、Ｓ１３６，ＹＥＳ）により無線接続先設定メニューを表示した後、さらに無線接続ボタン６８の押下状態が所定時間維持されると（図８、Ｓ５０５、ＹＥＳ）、無線接続を開始する（図８、Ｓ５０８）。無線接続確立中の表示画面例を６０５に示す。
【０１０７】
無線接続に失敗すると（図８、Ｓ５０９，ＮＯ）、６０６に示すような無線接続エラー画面の表示を行う（図８、Ｓ５１０）。
無線接続に成功すると（図８、Ｓ５０９，ＹＥＳ）、接続先がプリンタなら６０７、ＰＣなら６０８のように、現在のプリント設定や転送設定および無線電波強度や操作ガイダンス等を表示する。この画面から、さらに無線接続ボタン６８が押下されると、所定のプリント処理（図４、Ｓ１４０）や所定の転送処理（図４、Ｓ１４１）を実行する。
【０１０８】
以上説明したように、本実施形態によれば、無線接続中、特に指示を行わなくても撮影と同時に撮影画像データを外部装置に無線通信により転送するので、ユーザは単に撮影動作を行うだけでよい。また、再生モードでは、接続先の種類に応じて適切な処理を自動的に選択するので、ユーザは画像データの転送先を考慮した各種設定を行う必要がない。
【０１０９】
また、無線接続されていない場合は、無線接続ボタン６８を押せば接続先設定メニュー画面が表示され、長押しすれば、外部装置との通信を開始するため、無線接続ボタン６８の押方を変えるだけで、所望の動作の実行を指示することができる。
【０１１０】
＜第２の実施形態＞
第１の実施形態では、撮影モード時はＰＣとのみ無線接続可能とし、無線接続中は撮影するだけで、無線接続ボタンを押下しなくても自動でＰＣへの画像転送を行う構成について説明した。これに対し、第２の実施形態では撮影モードであっても常にプリンタ、ＰＣと無線接続可能な構成を有する。このような構成において、第１の実施形態の再生モードと同様に撮影モードでも無線接続ボタン押下で接続先に応じた無線通信処理を行う構成について説明する。
【０１１１】
図１０は第２の実施形態のデジタルカメラ１００の、撮影モードでの動作を説明するフローチャート、図１１は図１０のＳ７０５における無線接続処理の詳細を示すフローチャートである。なお、図１０において、図３及び図４と同じ動作を行うステップには同じ参照数字を付した。
【０１１２】
撮影モードにおけるデジタルカメラ１００の動作と、無線接続処理とを除き、第１の実施形態と共通であるため説明を省略し、図１０、図１１を用いて、デジタルカメラ１００の第２の実施形態での撮影モードにおける動作を説明する。
【０１１３】
（撮影モードでの動作）
撮影モードでは、システム制御部５０は撮像した画像データを逐次表示するスルー表示状態にして（Ｓ１０８）、Ｓ１０９に進む。以下、Ｓ１２２の記録処理完了まで、Ｓ７０５における無線接続処理を除き、第１の実施形態と同様に処理を行う。この無線接続処理Ｓ７０５の詳細は図１１を用いて後述する。
【０１１４】
記録処理が終わると、Ｓ７１９において、クイックレビュー表示を行う時間として設定されているミニマムレビュー時間が経過したかどうか調べる。無線接続されていない場合や、所定のミニマムレビュー時間が経過する迄に無線接続ボタンが押下されなかった場合には、Ｓ７２０へ進む。そして、システム制御部５０は、画像表示部２８の表示状態をスルー表示状態にした後（Ｓ７２０）、一連の撮影動作を終えてＳ１０９に戻る。
【０１１５】
Ｓ７１９で所定のミニマムレビュー時間が経過していなければ、無線接続中であるかどうか調べる（Ｓ７２１）。無線接続されていなければ（Ｓ７２１，ＮＯ）、Ｓ７１９へ戻る。すでに無線接続中（Ｓ７２１，ＹＥＳ）であれば、無線接続ボタン６８が押下されたかどうかを調べる（Ｓ７２２）。
【０１１６】
無線接続ボタン６８が押下されたならば、Ｓ１３９に進む。押下されていなければ、Ｓ７１９に戻る。Ｓ７１９、Ｓ７２１、Ｓ７２２の判断処理ループにより、無線接続中、ミニマムレビュー時間の経過前に無線接続ボタン６８が押下された場合のみ、Ｓ１３９へ進む。
【０１１７】
Ｓ１３９以降は、第１の実施形態で説明したように、無線接続先の判別（Ｓ１３９）を行い、接続先に応じた処理（Ｓ１４０、Ｓ１４１）を行い、Ｓ７２６に進む。システム制御部５０は、画像表示部２８の表示状態をスルー表示状態にして（Ｓ７２６）、一連の撮影動作を終えてＳ１０９に戻る。
【０１１８】
（無線接続処理）
図１１は、図１０のＳ７０５における無線接続処理の詳細を示すフローチャートである。図１１において、図８と同じ動作を行うステップには同じ参照数字を付した。
本実施形態においても、無線接続ボタン６８の操作方法に対する処理の割り当ては第１の実施形態と共通である。すなわち、通常の押下（短押し）では、無線接続先設定メニューを直接呼び出すショートカットキーとして、また、所定時間継続した押下（長押し）では、無線接続開始指示入力キーとしてそれぞれ機能する。本実施形態でも、第１の実施形態で述べたように、他の操作方法を採用しても良いし、操作方法と処理との対応づけを変更しても良い。
【０１１９】
図８と図１１との比較から明らかなように、本実施形態では撮影モードでもプリンタへの無線接続を許可するので、第１の実施形態における動作モード判別（Ｓ５０２）と動作モードに応じた処理分岐（Ｓ５０３）とが存在しない。そして、それ以外の処理について第１の実施形態で説明したとおりである。従って、再度の説明は行わない。
【０１２０】
本実施形態では、第１の実施形態の効果に加え、撮影モード、再生モードに関わらず、無線接続ボタンを無線未接続時は無線接続開始指示として、無線接続中は接続先に応じた処理開始指示として機能させることができる。そのため、無線接続と接続後のプリントや転送処理をひとつのボタンで簡単に行うことができる撮像装置を提供することが可能である。
【０１２１】
＜他の実施形態＞
なお、上述の実施形態では、本発明を適用可能な、画像データを無線通信により複数種の外部装置へ転送可能な撮像装置の一例として、デジタルカメラを例に挙げて説明した。しかしながら、本発明はデジタルカメラに限らず、デジタルカメラとして動作する装置にも適用することが可能である。デジタルカメラとして動作する装置には、デジタルビデオカメラ、デジタルカメラ付き携帯電話等がある。
【０１２２】
また、上述の実施形態は、撮像装置のコンピュータ（或いはＣＰＵ、ＭＰＵ等）によりソフトウェア的に実現することが可能である。
従って、本発明の機能処理をコンピュータで実現するために、該コンピュータに供給、インストールされるコンピュータプログラム自体も本発明を実現するものである。つまり、本発明の機能処理を実現するためのコンピュータプログラム自体も本発明に含まれる。
【０１２３】
その場合、プログラムの機能を有していれば、オブジェクトコード、インタプリタにより実行されるプログラム、ＯＳに供給するスクリプトデータ等、プログラムの形態を問わない。
【０１２４】
この場合、本発明の機能処理をコンピュータで実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１２５】
有線／無線通信を用いたプログラムの供給方法としては、コンピュータネットワーク上のサーバを利用する方法がある。この場合、本発明を形成するコンピュータプログラムとなりうるデータファイル（プログラムデータファイル）をサーバに記憶しておく。プログラムデータファイルとしては、実行形式のものであっても、ソースコードであっても良い。
【０１２６】
そして、このサーバにアクセスしたクライアントコンピュータに、プログラムデータファイルをダウンロードすることによって供給する。この場合、プログラムデータファイルを複数のセグメントファイルに分割し、セグメントファイルを異なるサーバに分散して配置することも可能である。
【０１２７】
つまり、本発明の機能処理をコンピュータで実現するためのプログラムデータファイルをクライアントコンピュータに提供するサーバ装置も本発明に含む。
【０１２８】
また、本発明のコンピュータプログラムを暗号化して格納した記憶媒体をユーザに配布し、所定の条件を満たしたユーザに、暗号化を解く鍵情報を供給し、ユーザの有するコンピュータへのインストールを可能とすることも可能である。鍵情報は例えばインターネットを介してホームページからダウンロードさせることによって供給することができる。
【０１２９】
また、コンピュータにより実施形態の機能を実現するためのコンピュータプログラムが、実施形態の機能を、すでにコンピュータ上で稼働するＯＳの機能を利用して実現しても良い。
【０１３０】
さらに、本発明を構成するコンピュータプログラムの少なくとも一部が、コンピュータに装着される拡張ボード等のファームウェアとして提供され、拡張ボード等が備えるＣＰＵを利用して上述の実施形態の機能を実現しても良い。
【図面の簡単な説明】
【０１３１】
【図１】本発明の一実施形態における撮像装置の一例としてのデジタルカメラの構成例を示すブロック図である。
【図２】第１の実施形態におけるデジタルカメラの撮影及び再生モードに共通した動作を説明するフローチャートである。
【図３】第１の実施形態におけるデジタルカメラの撮影モードでの動作を説明するフローチャートである。
【図４】第１の実施形態におけるデジタルカメラの再生モードでの動作を説明するフローチャートである。
【図５】図３のＳ１１５で実行する測距・測光処理の詳細を示すフローチャートである。
【図６】図３のＳ１２０における撮影処理の詳細を示すフローチャートである。
【図７】図３のＳ１２２における記録処理の詳細を示すフローチャートである。
【図８】図３のＳ１１２および図４のＳ１３８における無線接続処理の詳細を示すフローチャートである。
【図９】第１の実施形態のデジタルカメラ１００の、再生モードでの無線接続処理における画面表示遷移の例を示す図である。
【図１０】図１０は第２の実施形態のデジタルカメラ１００の、撮影モードでの動作を説明するフローチャートである。
【図１１】図１０のＳ７０５における無線接続処理の詳細を示すフローチャートである。
【図１】
2007081741.tif 000003
【図２】
2007081741.tif 000004
【図３】
2007081741.tif 000005
【図４】
2007081741.tif 000006
【図５】
2007081741.tif 000007
【図６】
2007081741.tif 000008
【図７】
2007081741.tif 000009
【図８】
2007081741.tif 000010
【図９】
2007081741.tif 000011
【図１０】
2007081741.tif 000012
【図１１】
2007081741.tif 000013